(57)【要約】【課題】パソコンの取扱いが苦手な場合等でも、電子アルバムを簡単かつ短時間に作成することができ、またアルバム作成時の指示命令が容易に行えるようにする。【解決手段】写真台１１に載せたコマンドカードＣ１〜Ｃ６、写真Ｐｂ、タイトルカードＰａ、手書きカードＰｃ等の画像を読み取る読取り部１３と、この読取り部１３で読み取られた写真Ｐｂ等の素材画像を表示すると共にこの素材画像を組み合わせたアルバム画像を表示する液晶表示部１４と、バーコード検出部とを設け、上記コマンドカードＣ１〜Ｃ６に付与されたバーコードＢ１〜Ｂ６を検出するよってこのコマンドカードＣ１〜Ｃ６の制御コマンドを判別し、この制御コマンドに基づいて上記読取り部１３での読取り制御及びアルバム画像の編集制御を実行する。【選択図】図１
2006186706.tif 000002
【特許請求の範囲】
【請求項１】
写真及び手書きカードを含む各種カードを載せる写真台と、
この写真台に載せた写真及びカードを電子的に素材画像として読み取るための画像読取り部と、
この画像読取り部で読み取られた素材画像を表示すると共に、この素材画像の組合せからなるアルバム画像を表示する表示部と、
上記各種カードの１つであって、アルバム画像の編集に関する制御コマンド情報が付与されかつこの制御コマンドが記載されたコマンドカードと、
このコマンドカードの制御コマンド情報を読み取るコマンド情報読取り部と、
このコマンド情報読取り部で読み取られた制御コマンドに基づいて、上記画像読取り部での読取り制御及びアルバム画像の編集制御を実行する制御部と、を備えてなる電子アルバム作成装置。
【請求項２】
上記各種カードの１つとして設けられたタイトルカードに個別情報を付与し、このタイトルカード個別情報によってこのタイトルカードに記載されているタイトルを電子アルバムの中の個々のアルバム画像のタイトルとして認識すると共に、このタイトルカード個別情報に関連付けてアルバム画像を保存することを特徴とする上記請求項１記載の電子アルバム作成装置。
【請求項３】
上記制御コマンド情報とタイトルカード個別情報を光学的識別コードにて付与したことを特徴とする上記請求項１又は２記載の電子アルバム作成装置。
【請求項４】
上記制御コマンド情報とタイトルカード個別情報を電気的識別素子にて付与し、この電気的識別素子を無線通信手段にて識別することを特徴とする上記請求項１又は２記載の電子アルバム作成装置。
【発明の詳細な説明】
【技術分野】
【０００１】
本発明は電子アルバム作成装置、特に写真や手書きカードの画像情報を読み取り、これらの写真やカードの画像情報に基づいて電子アルバムを自由に作成・編集する新しい装置の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
しかしながら、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
また、パソコンを用いる場合も同様であるが、何らかの装置を用いてアルバム作成をする場合は、アルバム作成の各ステップで必要な指示を装置に与えなければならず、一般にこの指示命令が複雑で分かり難いという傾向がある。
【０００５】
本発明は上記問題点に鑑みてなされたものであり、その目的は、パソコンの取扱いが苦手な場合又はパソコン等の知識を習得する時間がない場合でも、電子アルバムを簡単かつ短時間に作成することが可能となり、またアルバム作成時の指示命令を容易に行うことができる電子アルバム作成装置を提供することにある。
【課題を解決するための手段】
【０００６】
上記目的を達成するために、請求項１の発明に係る電子アルバム作成装置は、写真及び手書きカード（文字、マーク、イラスト、絵等を手書きしたもの）を含む各種カードを載せる写真台（読取り台）と、この写真台に載せた写真及びカードを電子的に素材画像として読み取るための画像読取り部（例えばＣＣＤを用いた撮影部）と、この画像読取り部で読み取られた素材画像を表示すると共に、この素材画像の組合せからなるアルバム画像を表示する表示部と、上記各種カードの１つであって、アルバム画像の編集に関する制御コマンド情報（識別情報）が付与されかつこの制御コマンドが記載されたコマンドカードと、このコマンドカードの制御コマンド情報を読み取るコマンド情報読取り部と、このコマンド情報読取り部で読み取られた制御コマンドに基づいて、上記読取り部での読取り制御及びアルバム画像の編集制御を実行する制御部と、を備えてなることを特徴とする。
【０００７】
請求項２に係る発明は、上記各種カードの１つとして設けられたタイトルカードに個別情報を付与し、このタイトルカード個別情報（識別情報）によってこのタイトルカードに記載されているタイトルを電子アルバムの中の個々のアルバム画像のタイトルとして認識すると共に、このタイトルカード個別情報に関連付けてアルバム画像を保存することを特徴とする。
【０００８】
上記の制御コマンド情報とタイトルカード個別情報を光学的識別コード（バーコード、二次元コード等）とする場合は、このコマンド情報読取り部及びタイトル情報読取り部として上記画像読取り部を利用し、かつここで読み取った光学的識別コードを検出する検出回路を設ける。また、この制御コマンド情報及びタイトルカード個別情報を電気的識別手段であるＩＣタグ等にて付与することもでき、この場合はコマンド情報読取り部及びタイトル情報読取り部として無線ＩＤ読取り部等を用いることになる。
【０００９】
上記の構成によれば、上記のコマンドカードとして、例えば“画像読取”、“写真の追加”、“メモの追加”、“アルバム編集終り”等のカードがあり、“画像読取”のコマンドカードを写真台に載せた場合は、このコマンドカードの例えばバーコードを読取り部で読み取ることにより、画像読取り動作が自動的に開始される。この画像読取りでは、写真台に写真、タイトルカード、手書きカード等を載せて画像読取り部で読み取ることにより、これらの電子画像が内部記憶部に記憶され、写真、手書き等の素材画像は表示部へ表示される。この表示部には、写真、カードの素材画像を表示する素材画面（画面領域）とアルバム画像を表示するアルバム画面（画面領域）が設定されており、この素材画面の中から選択した素材画像を、アルバム画面内に任意な配置で貼り付けることにより、電子アルバムが自由に作成できることになる。
【００１０】
また、請求項２の発明によれば、一連のアルバム画像のタイトルを書いたタイトルカードの個別情報がバーコード、ＩＣタグ等によって識別されることになり、このタイトルカード個別情報の下に複数の素材画像が関連付けられると共に、このタイトル画像はアルバム画面のタイトルとして自動的に貼り付けられる。従って、電子アルバムを閲覧する際には、このタイトルカードを写真台に置いて認識させることにより、そのタイトルのアルバム画像を即座に検索し表示することができる。
【発明の効果】
【００１１】
本発明の電子アルバム作成装置によれば、パソコンの取扱いが苦手な場合又はパソコン等の知識を習得する時間がない場合でも、電子アルバムを簡単かつ短時間に作成することができ、またアルバム作成時の指示命令を容易に行うことが可能となる。
【発明を実施するための最良の形態】
【００１２】
図１〜図４には、実施例に係る電子アルバム作成装置の構成が示されており、図１及び図２に示されるように、この装置は、タイトルカードＰａ、写真Ｐｂ、手書きカードＰｃ、コマンドカードＣ１〜Ｃｎ等を載せるために平面台とされた写真台（本体水平部）１１、この写真台１１の側面から出し入れ自在（使用しないときは内部に収納されている）に設けられた操作部１２、対物レンズと固体撮像素子であるＣＣＤを有する読取り部（画像読取り部）１３、液晶ディスプレイからなる液晶表示部１４を備えている。上記読取り部１３は、写真台１１上の読取り範囲内の像を真上からデジタル撮影（エリアセンサ方式、ラインセンサ方式のいずれでもよい）により読み取ることができ、この読取りを一定の光照度で良好に行うために、照明部１６が設けられる。また、読取り部１３は、その支持アーム１７を上下移動させることによって写真台１１との距離を変えることができる。
【００１３】
上記操作部１２は、図２に示されるように、上下左右移動キー１２ａ、入力キー１２ｂ、終了キー１２ｃ、剥しキー（又は取消しキー）１２ｄ、貼付けキー（又は確定キー）１２ｅを有しており、これらのキー１２ａ〜１２ｅによって編集のための操作が行われる。そして、図３に示されるように、上記操作部１２の操作に基づく編集のための動作制御や液晶表示部１４での表示制御を実行するため、写真台１１の内部に制御部（マイコン等）１８が設けられると共に、上記読取り部１３で読み取られたタイトルカードＰａ及びコマンドカードＣ１〜Ｃｎに付されているバーコードＢａ１〜Ｂａｎ（各タイトルカードに付されたバーコード），Ｂ１〜Ｂｎを検出するバーコード検出部１９、写真Ｐｂ、手書きカードＰｃの素材画像Ｉｂ，Ｉｃ等やアルバム画像を記憶する内部の記憶媒体としてのハードディスク２０、タイトル画像Ｉａ、素材画像Ｉｂ，Ｉｃを貼り付けたアルバム画像を形成するための画像編集処理部２１が配置される。
【００１４】
図１に示されるように、実施例では、コマンドカードとして、例えば“画像読取”コマンドカードＣ１、“写真の追加”コマンドカードＣ２、“メモの追加”コマンドカードＣ３、“アルバム編集終り”コマンドカードＣ４、“アルバム画像を見る”コマンドカードＣ５、“アルバム画像自動駒送り”コマンドカードＣ６等が設けられ、これらのコマンドカードＣ１〜Ｃｎには、バーコードＢ１，Ｂ２，Ｂ３，Ｂ４，Ｂ５，Ｂ６が識別情報（他の光学的識別コード等でもよい）として付与される。これらのバーコードＢ１〜Ｂ６は、コマンドカードであるこの情報を含んだコマンドカードの個別情報を表しており、コマンドカードＣ１〜Ｃｎを写真台１１に載せて読取り部１３で読み取り、バーコード検出部１９で検出することにより、そのコマンドの内容が判別される。即ち、バーコードＢ１〜Ｂｎを水平方向にスキャンして数字情報等を判別することにより、バーコード（コマンドカードの個別情報）と１対１に対応するコマンド情報を得ることができる。なお、このバーコードＢ１〜Ｂｎは、常にカードの所定位置に付すことによりその検出が容易となる。
【００１５】
上記液晶表示部１４には、図４（Ａ）に示されるように、小さなメニュー画面（画面領域）１４Ａ、素材画面（画面領域）１４Ｂ及びアルバム画面（画面領域）１４Ｃが設けられる。即ち、実施例では、上述したコマンドカードＣ１〜Ｃｎによる制御指令だけでなく、メニュー画面１４Ａのメニュー選択によっても各動作への制御指令を行っており、このメニュー画面１４Ａには、図４（Ｂ）の拡大図に示されるように、例えばアルバム画像編集を行うための“アルバム編集”、編集したアルバム画像をＤＶＤ等の記録メディア（記録媒体）へ保存するための“ＤＶＤ（ここではＤＶＤのみを示す）へ保存”、ＤＶＤ（記録メディア）に格納されている画像素材の読出しを行うための“ＤＶＤ読出”、ＤＶＤ（記録メディア）に格納されているアルバム画像を読み出して上記ハードディスク２０へ保存するための“ＤＶＤから保存”、電子アルバムの閲覧をするための“アルバム閲覧”等のメニューが表示されており、これらの各メニューはそのいずれかを選択することができる。
【００１６】
また、上記“アルバム編集”メニューを選択した場合又は“画像読取”コマンドカードＣ１を読み込ませた場合は、図４（Ａ）に示されるように、液晶表示部１４の右側に、読み込んだ写真Ｐｂの画像Ｉｂや手書きカードＰｃの画像Ｉｃを表示する素材画面（画面領域）１４Ｂが表示され、その左側に、編集完成すべきアルバム画像を表示するアルバム画面（画面領域）１４Ｃが表示・設定される。
【００１７】
また、上記写真台１１に載せて読み込まれるタイトルカードＰａには、タイトルカードであることの情報を含む各カードの個別情報（識別情報）としてバーコードＢａ１〜Ｂａｎが付される。即ち、このタイトルカードＰａとして、下部等にバーコードＢａ１〜Ｂａｎが付され、上部に記載欄（白紙欄）を有するカードが用意されており、この記載欄に手書きやプリンターで任意のタイトルを書き込むか又は印刷するようになっている。これによって、このカードがタイトルカードＰａであることが自動的に認識され、このタイトルカードＰａは、個々のアルバム画像を識別するための管理情報として利用される。
【００１８】
更に、実施例では、図１に示されるように、写真台（本体水平部）１１の前面側に、ＤＶＤ駆動部（読出し／書込み部）２３ａ、その他の記録メディア（メモリ）のメディア駆動部２３ｂが配置されると共に、音声入力するためのマイク２４Ｍ及び音声出力するためのスピーカ２４Ｓが設けられている。即ち、この電子アルバムには、アルバム作成と同時に音声情報を記録し、アルバム閲覧時に音声出力することも可能である。
【００１９】
実施例は以上の構成からなり、図５及び図６を参照しながらその作用を説明する。図５の動作フローの画像読取りステップ１０１では、図６（Ａ）に示されるように、“画像読取”コマンドカードＣ１を写真台１１に置いて操作部１２の入力キー１２ｂを押すと、このコマンドカードＣ１のバーコードＢ１が読取り部１３及びバーコード検出部１９で読み取られることによって、制御部１８を介して画像読取りの動作が開始される。次のステップ１０２では、図６（Ｂ）のように、写真台１１に例えば“北海道旅行”というタイトルカードＰａを置いて入力キー１２ｂを押すと、タイトルカードＰａの画像ＩａがバーコードＢａ１と共に読み取られる。このバーコードＢａ１は、バーコード検出部１９で検出されることにより、タイトルカード個別情報（タイトルカードであることを含む）が特定され、このタイトルカード個別情報がアルバム画像の管理情報として保存される。また、このタイトルカードＰａのバーコードＢａ１を取り除いたタイトル画像Ｉａはハードディスク２０に保存される。
【００２０】
次に、ステップ１０３では、図６（Ｃ），（Ｄ）に示されるように、写真Ｐｂや手書きカードＰｃ、或いは印刷カード等を写真台１１に順に置き、入力キー１２ｂの操作によって必要な写真Ｐｂ及び手書きカードＰｃ等の読取りが行われる。この写真Ｐｂ、手書きカードＰｃでは、所定の位置にバーコードがないので、そのままの画像が素材画像として読み取られる。そして、これらの素材画像は、ハードディスク２０に保存されると共に、その全てが図４の素材画面１４Ｂに表示される。ステップ１０４では、この素材画面１４Ｂに表示されている素材画像を、アルバム画面１４Ｃに任意に配置し、色変更や装飾枠画像等を付す等によって編集画像が行われる。
【００２１】
即ち、図４に示されるように、上記タイトルカードＰａの読取りで保存した“北海道旅行”のタイトル画像Ｉａがアルバム画面１４Ｃ内の所定の位置に自動的に表示されており、素材画面１４Ｂから写真Ｐｂの画像Ｉｂや手書きカードＰｂの“二人は仲よし”等の画像Ｉｃを上下左右移動キー１２ａで選択し、貼付けキー１２ｅを押すと、それらの画像が順にアルバム画面１４Ｃ内へ表示される。このとき、剥しキー１２ｄを使えば、一旦貼り付けた画像をアルバム画面１４Ｃ内から剥がす（取り除く）ことができる。このような編集作業をした後に、ステップ１０５にて、図６（Ｅ）に示されるように、“アルバム編集終り”のコマンドカードを置いて入力キー１２ｂを押せば、アルバム編集作業が終了となり、上記素材画像（Ｉｂ，Ｉｃ）を貼り付けたアルバム画像がタイトルカード個別情報と共に、ハードディスク２０へ格納される。なお、上記の例では、タイトルカードＰａ，写真Ｐｂ、手書きカードＰｃ等を順に読取り保存するようにしたが、これら複数を写真台１１に置き、全部を読み取った後に、それらの写真縁、カード縁を自動的に検出すること等により個別の素材画像として保存することもできる。
【００２２】
次に、図５のステップ１１０では、“写真の追加”のコマンドカードＣ２を読み込ませることにより、上述したステップ１０２からステップ１０５の流れで写真追加動作を行うことができ、ステップ１２０では、“メモの追加”のコマンドカードＣ３を読み込ませることにより、同様にステップ１０２からステップ１０５の流れでメモ追加動作を行うことができる。
【００２３】
また、ステップ１３０では、“アルバム画像を見る”のコマンドカードＣ５を用いることにより、作成したアルバム画像を観賞することができる。この場合には、見たいタイトルのタイトルカードＰａを写真台１１に置いて読み込ませることにより、そのタイトルカード個別情報（バーコードＢａ１）で保存されているアルバム画像が抽出され、液晶表示部１４へ表示される。この液晶表示部１４を見て、例えば操作部１２の上下左右移動キー１２ａの操作で画像をめくるようにしながら、選択したタイトルカードＰａで保存されているアルバム画像の全てを観賞することができる（ステップ１３２）。そして、このアルバム観賞を終了するときには、ステップ１３３で操作部１２の終了キー１２ｃを押すことにより、起動画面に戻ることになる。
また、ステップ１４０では、“アルバム画像を自動駒送りで見る”のコマンドカードＣ６を用いることにより、作成したアルバム画像を自動的に駒送りして観賞することができる。
【００２４】
更に、実施例では、図４（Ｂ）のメニューで示したように、“アルバム編集”を選択した場合には、画像読取りコマンドカードＣ１の読込みをすることなく、図５のステップ１０２以下の動作にて、アルバム画像の編集や再編集をすることもできる。また、このメニューから“ＤＶＤ読出”を選択することにより、上述したＤＶＤ駆動部２３ａに挿入したＤＶＤから読み取った画像を素材画像として利用することができ（なお、メディア駆動部２３ｂを利用する場合は、例えば“画像読取”メニューから入って記録メディアの画像情報を読み取る）、メニューの“ＤＶＤへ保存”を選択すれば、完成したアルバム画像をＤＶＤへ保存することができ、メニューの“ＤＶＤから保存”を選択すれば、別の装置等で完成したアルバム画像を当該装置のハードディスク２０へ保存することができる。
【００２５】
また、当該装置では、図４（Ｂ）のメニューの“アルバム閲覧”を選択することによっても、図５のステップ１３１〜１３３の動作にて、保存されているアルバム画像を表示部１４にて閲覧することができる。
【００２６】
上記実施例では、コマンドカードＣ１〜Ｃｎの識別情報及びタイトルカードＰａの個別情報として、バーコードＢ１〜Ｂｎ，Ｂａ１〜Ｂａｎを用いたが、この代わりに２次元コード（識別模様）等の他の光学的識別コードを付してもよく、またカードに付された文字を直接的に文字認識してコマンド情報等を判別することも可能である。また、このコマンドカードＣ１〜Ｃｎ及びタイトルカードＰａを識別する他の方法として、電気的識別素子としてのＩＣタグ（ＩＣチップ）等を用いるようにしてもよい。このＩＣタグを利用する場合は、図３に示されるように、写真台（本体水平部）１１の内部等に無線ＩＤ読取り部（又は無線通信リーダ／ライタ）２６を設けることになる。
【図面の簡単な説明】
【００２７】
【図１】本発明の実施例に係る電子アルバム作成装置の全体構成（及びコマンドカードの構成）を示す斜視図である。
【図２】実施例の電子アルバム作成装置を上側から見た（特に操作部を示す）図である。
【図３】実施例の装置の回路部を含む全体構成を示すブロック図である。
【図４】実施例の装置の液晶表示部で設定されるメニュー画面、素材画面及びアルバム画面の構成を示す図［図（Ａ）］、並びにメニュー画面の拡大図［図（Ｂ）］である。
【図５】実施例の主な動作フロー図である。
【図６】実施例の画像読取り動作時における各種カード及び写真の読取り手順を示す図である。
【符号の説明】
【００２８】
１１…写真台、            １２…操作部、
１３…読取り部、          １４…液晶表示部、
１６…照明部、            １８…制御部、
１９…バーコード検出部、  ２０…ハードディスク、
２１…画像編集処理部、    ２３ａ…ＤＶＤ駆動部、
２３ｂ…メディア駆動部、
Ｂ１〜Ｂｎ，Ｂａ１〜Ｂａｎ…バーコード、
Ｃ１〜Ｃｎ…コマンドカード、Ｐａ…タイトルカード、
Ｐｂ…写真、              Ｐｃ…手書きカード。
【図１】
2006186706.tif 000003
【図２】
2006186706.tif 000004
【図３】
2006186706.tif 000005
【図４】
2006186706.tif 000006
【図５】
2006186706.tif 000007
【図６】
2006186706.tif 000008